(57)【要約】【課題】  左右両側のパチンコ機に均等にパチンコ玉を供給することのできる装置を提供する。【解決手段】  遊技機島２の前後長手方向に水平に配置され、上流側と下流側に設けた二つのローラー１１に懸架され、ローラー１１と共に、左右短尺方向の一方側に所定角度αで傾斜させた無端状の搬送ベルト１０と、搬送ベルト１０の直下に、パチンコ玉４の直径とほぼ等しい間隔Ｃを開けて設けられた平板状で、搬送ベルト１０と同一の傾斜角度で固定され、上面を前記パチンコ玉４が移動する補給樋２０と、補給樋２０の低所側Ｌに、前後長手方向に沿って設けられ、補給樋２０の上面のパチンコ玉４を、その自重で、低所側Ｌのパチンコ機３ａに供給する第一補給シュート６０ａと、同じ低所側Ｌに設けられ、パチンコ玉４を高所側Ｈのパチンコ機３ｂに供給する第二補給シュート６０ｂと、を設ける。【選択図】      図１
2008307364.tif 000002
【特許請求の範囲】
【請求項１】
左右に背合わせ状に遊技機を配列して形成される遊技機島の上部に設けられ，各遊技機にパチンコ玉を供給する装置であって、前記遊技機島の前後長手方向にほぼ水平に配置され，上流側と下流側に設けた二つのローラーに懸架され，該ローラーと共に，左右短尺方向の一方側に所定角度で傾斜させた無端状の搬送ベルトと、前記搬送ベルトの直下に，前記パチンコ玉の直径とほぼ等しい間隔を開け、前記搬送ベルトと同一の傾斜角度で設けられた、上面を前記パチンコ玉が移動する補給樋と、前記補給樋の低所側である左右短尺方向の一方側に，前後長手方向に沿って設けられ，前記補給樋の上面のパチンコ玉を，その自重で，前記低所側に位置する遊技機に供給する第一補給シュートと、前記低所側に，前後長手方向に沿って設けられ，前記補給樋の上面のパチンコ玉を，その自重で，前記補給樋の高所側に位置する遊技機に供給する第二補給シュートと，を備えたことを特徴とするパチンコ玉供給装置。
【請求項２】
搬送ベルトが、その外周面に、パチンコ玉に移動方向への速度を付与する速度付与部材として、前記パチンコ玉に当接する突出部を複数有するものであることを特徴とする請求項１に記載のパチンコ玉供給装置。
【請求項３】
搬送ベルトが、パチンコ玉に移動方向への速度を付与するために、磁気性材料で形成されたものであることを特徴とする請求項１に記載のパチンコ玉供給装置。
【請求項４】
搬送ベルトが、ゴム材に砂鉄を混在させて形成され，前記砂鉄が磁化された磁気性材料であることを特徴とする請求項３に記載のパチンコ玉供給装置。
【請求項５】
左右に背合わせ状に遊技機を配列して形成される遊技機島の上部に設けられ，各遊技機にパチンコ玉を供給する装置であって、前記遊技機島の前後長手方向にほぼ水平に配置され，上流側と下流側に設けられた駆動ローラーと従動ローラーとに懸架され，該駆動ローラーおよび従動ローラーと共に，左右短尺方向の一方側に所定角度で傾斜させた無端状の搬送ベルトと、前記搬送ベルトの直下に，前記パチンコ玉の直径とほぼ等しい間隔を開けて設けられた平板状で，前記搬送ベルトと同一の傾斜角度で固定され，上面を前記パチンコ玉が移動するステンレス製の補給樋と、前記補給樋の低所側である左右短尺方向の一方側に，前後長手方向に沿ってほぼ等間隔で設けられ，前記補給樋の上面のパチンコ玉を，その自重で，前記低所側に位置する遊技機に供給する複数の第一補給シュートと、前記第一補給シュートに隣接して，前記低所側に，前後長手方向に沿ってほぼ等間隔で設けられ，前記補給樋の上面のパチンコ玉を，その自重で，前記補給樋の高所側に位置する遊技機に供給する複数の第二補給シュートと，を備え、前記搬送ベルトが，ゴム材に砂鉄を混在させて形成され，前記砂鉄が磁化された磁気性材料で形成されたものであることを特徴とするパチンコ玉供給装置。
【請求項６】
左右に背合わせ状に遊技機を配列して形成される遊技機島の上部に設けられ，各遊技機にパチンコ玉を供給する装置であって、前記遊技機島の前後長手方向に水平に配置され，上流側と下流側に設けた二つのローラーに懸架され，該ローラーと共に，左右短尺方向の一方側に所定角度で傾斜させた無端状の搬送ベルトと、前記搬送ベルトの直下に，前記パチンコ玉の直径とほぼ等しい間隔を開けて設けられた平板状で，前記搬送ベルトと同一の傾斜角度で固定され，上面を前記パチンコ玉が移動する補給樋と、前記補給樋の低所側である左右短尺方向の一方側に，前後長手方向に沿ってほぼ等間隔で設けられ，前記補給樋の上面のパチンコ玉を，その自重で，前記低所側に位置する遊技機に供給する複数の第一補給シュートと、前記第一補給シュートに隣接して，前記低所側に，前後長手方向に沿ってほぼ等間隔で設けられ，前記補給樋の上面のパチンコ玉を，その自重で，前記補給樋の高所側に位置する遊技機に供給する複数の第二補給シュートと，を備え、
前記搬送ベルトが、その外周面に、パチンコ玉に移動方向への速度を付与する速度付与部材として、前記パチンコ玉に当接する突出部を複数有するものであることを特徴とするパチンコ玉供給装置。
【発明の詳細な説明】
【技術分野】
【０００１】
本発明は、パチンコ遊技場の遊技機島に設けられ、その遊技機島を構成する各遊技機へパチンコ玉を供給するための供給装置に関するものである。
【背景技術】
【０００２】
パチンコ遊技場においては、左右に背合わせ状に配列された複数の遊技機によって遊技機島が構成され、この遊技機島の上部には、各遊技機にパチンコ玉を供給するための供給装置が設けられている。
【０００３】
従来、パチンコ玉の供給装置としては、樋状の搬送路を、揚送装置から遊技機島の前後長手方向に傾斜させて設け、パチンコ玉をその自重によって転がし、各遊技機に供給するものがある（例えば、特許文献１参照）。また、前後長手方向に水平に設けた無端状の搬送ベルトを駆動装置によって周回させ、その搬送ベルトの上にパチンコ玉を載せて供給する装置もある（例えば、特許文献２参照）。
【０００４】
さらには、駆動装置で周回する搬送ベルトと、その直下に設けた平板状の補給樋との間でパチンコ玉を挟持して搬送し、各パチンコ機へ供給する装置もある（例えば、特許文献３参照）。この装置は、搬送ベルトをウレタン製とし、また、補給樋をその中央から左右の両方向へ下向傾斜させ、パチンコ玉をその自重で転がし、遊技機島の左右両側の各パチンコ機に供給するようにしている。
【０００５】
【特許文献１】特開平１１−４２３６４号公報
【特許文献２】特開平６−３９１３６号公報
【特許文献３】特開２００５−２７９３１１号公報
【発明の開示】
【発明が解決しようとする課題】
【０００６】
しかし、上記した従来技術には、それぞれ以下に述べる問題がある。特許文献１に記載の傾斜を利用した供給装置は、パチンコ機の搬送にパチンコ玉の自重を利用しているため、当該パチンコ玉の搬送状態を適切に制御するのが困難であり、その結果、いわゆる玉詰まり等の搬送不良が発生し易い。また、搬送路の傾斜が必要であることから、高さ方向に大きな設置スペースを占有し、それだけパチンコ遊技場が狭くなったり、照明が遮られて暗くなるなど、好ましくない。
【０００７】
また、特許文献２に記載の搬送ベルトを利用した装置は、搬送不良や設置スペースの問題は解消できるものの、パチンコ玉を搬送ベルトに載せて搬送するため、その搬送ベルト上にパチンコ玉が存在している状態では、例えば、ベルトを緩めることもできないので、簡単な保守点検をも行うことができないといった問題がある。従って、この供給装置に軽微な不具合が発生しても、その稼働を停止しなければ修理することができないので、パチンコ遊技場の稼働率を低下させてしまう結果となる。
【０００８】
さらに、特許文献３に記載の搬送ベルトと補給樋とでパチンコ玉を挟持して搬送する装置は、例えば、当該搬送ベルトと補給樋との間隙にバラツキが発生し、その間隙が所定より大きいと、パチンコ玉を円滑に搬送することができないといった問題がある。また、補給樋をその中央から左右の両方向へ下向傾斜させ、左右側両方のパチンコ機にパチンコ玉を供給するので、補給樋の傾斜のバラツキ等により、パチンコ玉を、左側または右側のパチンコ機へ均等に供給することができないといった問題が発生する。
【０００９】
本発明は、こうした問題に鑑み創案されたもので、パチンコ玉を円滑に搬送でき、高さ方向に大きな設置スペースを必要とせず、パチンコ玉を搬送中にも保守点検ができ、常に、確実に左右両側の遊技機に均等にパチンコ玉を供給することのできるパチンコ玉搬送装置を提供することを課題とする。
【課題を解決するための手段】
【００１０】
図１乃至図６を参照して説明する。請求項１に記載のパチンコ玉供給装置１は、左右に背合わせ状にパチンコ機３を配列して形成される遊技機島２の上部に設けられ、各パチンコ機３にパチンコ玉４を供給する装置であって、前記遊技機島２の前後長手方向にほぼ水平に配置され、上流側と下流側に設けた二つのローラー１１に懸架され、当該ローラー１１と共に、左右短尺方向の一方側に所定角度αで傾斜させた無端状の搬送ベルト１０と、  前記搬送ベルト１０の直下に、前記パチンコ玉４の直径とほぼ等しい間隔Ｃを開け、前記搬送ベルト１０と同一の傾斜角度で設けられた、上面を前記パチンコ玉４が移動する補給樋２０と、前記補給樋２０の低所側Ｌである左右短尺方向の一方側に、前後長手方向に沿って設けられ、前記補給樋２０の上面のパチンコ玉４を、その自重で、前記低所側Ｌに位置するパチンコ機３に供給する第一補給シュート６０ａと、前記低所側Ｌに、前後長手方向に沿って設けられ、前記補給樋２０の上面のパチンコ玉４を、その自重で、前記補給樋２０の高所側Ｈに位置するパチンコ機３に供給する第二補給シュート６０ｂと、を備えたことを特徴とする。
【００１１】
請求項２に記載のパチンコ玉供給装置１は、請求項１に記載の発明において、搬送ベルト１０が、その外周面に、パチンコ玉４に移動方向への速度を付与する速度付与部材として、前記パチンコ玉４に当接する突出部１０ａを複数有するものであることを特徴とする。
【００１２】
請求項３に記載のパチンコ玉供給装置１は、請求項１に記載の発明において、搬送ベルト１０が、パチンコ玉４に移動方向への速度を付与するために、磁気性材料で形成されたものであることを特徴とする。
【００１３】
請求項４に記載のパチンコ玉供給装置１は、請求項３に記載の発明において、搬送ベルト１０が、ゴム材に砂鉄を混在させて形成され、前記砂鉄が磁化された磁気性材料であることを特徴とする。
【００１４】
請求項５に記載のパチンコ玉供給装置１は、左右に背合わせ状にパチンコ機３を配列して形成される遊技機島２の上部に設けられ、各パチンコ機３にパチンコ玉４を供給する装置であって、前記遊技機島２の前後長手方向にほぼ水平に配置され、上流側と下流側に設けられた駆動ローラー１１ａと従動ローラー１１ｂとに懸架され、当該駆動ローラー１１ａおよび従動ローラー１１ｂと共に、左右短尺方向の一方側に所定角度αで傾斜させた無端状の搬送ベルト１０と、前記搬送ベルト１０の直下に、前記パチンコ玉４の直径とほぼ等しい間隔Ｃを開けて設けられた平板状で、前記搬送ベルト１０と同一の傾斜角度で固定され、上面を前記パチンコ玉４が移動するステンレス製の補給樋２０と、前記補給樋２０の低所側Ｌである左右短尺方向の一方側に、前後長手方向に沿ってほぼ等間隔で設けられ、前記補給樋２０の上面のパチンコ玉４を、その自重で、前記低所側Ｌに位置するパチンコ機３に供給する複数の第一補給シュート６０ａと、前記第一補給シュート６０ａに隣接して、前記低所側Ｌに、前後長手方向に沿ってほぼ等間隔で設けられ、前記補給樋２０の上面のパチンコ玉４を、その自重で、前記補給樋２０の高所側Ｈに位置するパチンコ機３に供給する複数の第二補給シュート６０ｂと、を備える。そして、前記搬送ベルト１０が、ゴム材に砂鉄を混在させて形成され、前記砂鉄が磁化された磁気性材料で形成されたものであることを特徴とする。
【００１５】
請求項６に記載のパチンコ玉供給装置１は、左右に背合わせ状にパチンコ機３を配列して形成される遊技機島２の上部に設けられ、各パチンコ機３にパチンコ玉４を供給する装置であって、前記遊技機島２の前後長手方向に水平に配置され、上流側と下流側に設けた二つのローラー１１に懸架され、当該ローラー１１と共に、左右短尺方向の一方側に所定角度αで傾斜させた無端状の搬送ベルト１０と、前記搬送ベルト１０の直下に、前記パチンコ玉４の直径とほぼ等しい間隔Ｃを開けて設けられた平板状で、前記搬送ベルト１０と同一の傾斜角度で固定され、上面を前記パチンコ玉４が移動する補給樋２０と、前記補給樋２０の低所側Ｌである左右短尺方向の一方側に、前後長手方向に沿ってほぼ等間隔で設けられ、前記補給樋２０の上面のパチンコ玉４を、その自重で、前記低所側Ｌに位置するパチンコ機３に供給する複数の第一補給シュート６０ａと、前記第一補給シュート６０ａに隣接して、前記低所側Ｌに、前後長手方向に沿ってほぼ等間隔で設けられ、前記補給樋２０の上面のパチンコ玉４を、その自重で、前記補給樋２０の高所側Ｈに位置するパチンコ機３に供給する複数の第二補給シュート６０ｂと、を備える。そして、前記搬送ベルト１０が、その外周面に、パチンコ玉４に移動方向への速度を付与する速度付与部材として、前記パチンコ玉４に当接する突出部１０ａを複数有するものであることを特徴とする。
【発明の効果】
【００１６】
請求項１に記載のパチンコ玉供給装置１は、搬送ベルト１０を前後長手方向にほぼ水平に配置しているので、従来技術の傾斜させた場合と比較して、高さ方向に大きな設置スペースを必要としない。また、照明を遮らない。従って、遊技場を広く開放感があり、明るい雰囲気の場所とすることができる。
【００１７】
また、搬送ベルト１０の直下に補給樋２０を設け、両者の間でパチンコ玉４を搬送するので、パチンコ玉４を搬送中でも、当該搬送ベルト１０およびそれを周回させるローラー１１や駆動装置の保守点検を行うことができる。
【００１８】
さらに、搬送ベルト１０および補給樋２０を、左右短尺方向の一方側に所定角度αで傾斜させ、低所側Ｌに第一補給シュート６０ａと第二補給シュート６０ｂを設けているので、左右両側のパチンコ機３に均等にパチンコ玉４を供給することができる。
【００１９】
すなわち、補給樋２０を左右の一方側に傾斜させているため、全てのパチンコ玉４は搬送されながら補給樋２０の低所側Ｌに集まる。そして、低所側Ｌに集まったパチンコ玉４は、第一補給シュート６０ａによって低所側Ｌのパチンコ機３に供給され、第二補給シュート６０ｂによって高所側Ｈのパチンコ機３に供給される。従って、左右両側のパチンコ機３に均等にパチンコ玉４を供給することができる。
【００２０】
請求項２に記載のパチンコ玉供給装置１は、請求項１に記載の発明と同様の効果を発揮する。また、搬送ベルト１０が、その外周面に、パチンコ玉４に移動方向への速度を付与する速度付与部材として、前記パチンコ玉４に当接する突出部１０ａを複数有するので、この突出部１０ａがパチンコ玉４を移動方向へ押す。従って、パチンコ玉４を効率的に搬送することができる。
【００２１】
請求項３に記載のパチンコ玉供給装置１は、請求項１に記載の発明と同様の効果を発揮する。また、搬送ベルト１０が磁気性材料で形成されているので、磁力によって鉄製であるパチンコ玉４を吸着することができる。従って、当該パチンコ玉４を、効率的に搬送することができる。
【００２２】
なお、搬送ベルト１０と補給樋２０の間隔Ｃを、パチンコ玉４の直径とほぼ等しく設定しているので、当該搬送ベルト１０をパチンコ玉４に確実に接触させることができる。これにより、パチンコ玉４を、より効率的に搬送することができる。
【００２３】
請求項４に記載のパチンコ玉供給装置１は、請求項３に記載の発明と同様の効果を発揮する。また、搬送ベルト１０が、ゴム材に砂鉄を混在させて形成され、その砂鉄が磁化された磁気性材料で構成されているので、当該搬送ベルト１０に効果的かつ廉価なコストで磁力を与えることができる。
【００２４】
請求項５に記載のパチンコ玉供給装置１は、搬送ベルト１０を前後長手方向にほぼ水平に配置しているので、従来技術の傾斜させた場合と比較して、高さ方向に大きな設置スペースを必要としない。
【００２５】
また、搬送ベルト１０の直下に補給樋２０を設け、両者の間でパチンコ玉４を搬送するので、パチンコ玉４を搬送中でも、当該搬送ベルト１０およびそれを周回させるローラー１１や駆動装置の保守点検を行うことができる。
【００２６】
さらに、搬送ベルト１０および補給樋２０を、左右短尺方向の一方側に所定角度αで傾斜させ、低所側Ｌに第一補給シュート６０ａと第二補給シュート６０ｂを設けているので、左右両側のパチンコ機３に均等にパチンコ玉４を供給することができる。
【００２７】
また、搬送ベルト１０が磁気性材料で形成されているので、磁力によって鉄製であるパチンコ玉４を吸着することができる。従って、当該パチンコ玉４を効率的に搬送することができる。
【００２８】
また、搬送ベルト１０と補給樋２０の間隔Ｃを、パチンコ玉４の直径とほぼ等しく設定しているので、当該搬送ベルト１０をパチンコ玉４に確実に接触させることができる。これにより、パチンコ玉４を、より効率的に搬送することができる。
【００２９】
なお、この搬送ベルト１０は、ゴム材に砂鉄を混在させて形成され、その砂鉄が磁化された磁気性材料で構成されているので、当該搬送ベルト１０に効果的かつ廉価なコストで磁力を与えることができる。
【００３０】
なお、補給樋２０はステンレス製であるので、表面が滑らかで剛性も高い。従って、パチンコ玉４は補給樋２０の上面を長期にわたって円滑に移動することができる。
【００３１】
請求項６に記載のパチンコ玉供給装置１は、請求項１および２に記載の発明と同様の効果を発揮する。すなわち、遊技場を広く開放感があり、明るい雰囲気の場所とすることができる。また、パチンコ玉４の搬送中でも保守点検を行うことができる。また、左右両側のパチンコ機３に均等にパチンコ玉４を供給することができる。さらに、複数の突出部１０ａによって、パチンコ玉４を効率的に搬送することができる。
【発明を実施するための最良の形態】
【００３２】
本発明に係るパチンコ玉供給装置１の実施形態を、図１乃至図６に示す。これは、パチンコ玉を用いる遊技機の一例としてパチンコ機３を、左右に背合わせ状に配列して形成される遊技機島２の上部に設けられ、各パチンコ機３にパチンコ玉４を供給する装置であり、搬送ベルト１０、補給樋２０、第一補給シュート６０ａ、および第二補給シュート６０ｂを備える。
【００３３】
搬送ベルト１０は、無端状のいわゆる無端ベルトで構成し、遊技機島２の前後長手方向に水平に配置されている。また、上流側（または下流側）に設けられモーターで回転する駆動ローラー１１ａと、下流側（または上流側）に設けられた従動ローラー１１ｂとに懸架され、これら駆動ローラー１１ａおよび従動ローラー１１ｂと共に、左右短尺方向の一方側（右側）に所定角度αで傾斜させている（図３参照）。なお、図３において、符号Ｅは水平ラインを示し、符号Ｄは搬送ベルトの傾斜ラインを示す。
【００３４】
補給樋２０は、搬送ベルト１０の直下に、パチンコ玉４の直径とほぼ等しい間隔Ｃを開けて設けられており、本実施形態では、非磁性体のＳＵＳ３０４のステンレス製で平板状である。また、搬送ベルト１０と同一の傾斜角度で設けられ、上面を搬送ベルト１０で搬送されるパチンコ玉４が移動する。
【００３５】
第一補給シュート６０ａは、複数が、補給樋２０の低所側Ｌである左右短尺方向の一方側（右側）に、前後長手方向に沿って、低所側Ｌの各パチンコ機３ａに対応して設けられ、補給樋２０の上面のパチンコ玉４を、その自重で、低所側（右側）Ｌに位置するパチンコ機３ａに、下流端部に設けられたジャバラ３０を経由して供給する。なお、本実施形態では、各第一捕球シュート６０ａは、ほぼ等間隔で設けられている。
【００３６】
第二補給シュート６０ｂは、複数が、捕球樋２０の低所側Ｌである左右短尺方向の一定側（右側）に、前後長手方向に沿って、高所側Ｈの各パチンコ機３ｂに対応して設けられ、補給樋２０の上面のパチンコ玉４を、その自重で、高所側（左側）Ｈに位置するパチンコ機３ｂに、下流端部に設けられたジャバラ４０を経由して供給する。
なお、本実施形態では、各第二補給シュート６０ｂは、ほぼ等間隔で設けられている。また、第一補給シュート６０ａと第二補給シュート６０ｂは交互に設けられている。
【００３７】
そして、補給シュートの間には、図示が省略する側壁が設けられている。（特開平０８−１６４２６３号公報参照）
また、遊技機島２に玉貸機が設けられる場合には、玉貸機用の補給シュートが設けられる。（図示省略）
【００３８】
そして、搬送ベルト１０は、ゴム材に砂鉄を混在させて形成し、その後、砂鉄を磁化した磁気性材料で構成している。
【００３９】
このパチンコ玉供給装置１は、次のように作動する。まず、モーターを稼動させて駆動ローラー１１ａを回転させ、搬送ベルト１０を、駆動ローラー１１ａと従動ローラー１１ｂとの間で周回させる。これにより、揚送機構５０によって補給樋２０の上流側に供給されたパチンコ玉４を、搬送ベルト１０の磁力によって吸着し補給樋２０の上面に沿って下流側へ搬送する。
【００４０】
搬送ベルト１０によって搬送されるパチンコ玉４は、補給樋２０の上面を下流側に移動しながら、随時、補給樋２０の傾斜の作用により、低所側Ｌに自重で転がる。そして、低所側Ｌおよび高所側Ｈの各パチンコ機３ａ，３ｂに対応して設けられ、補給樋２０上のパチンコ玉を分配して各パチンコ機３に供給するか分離器としての第一補給シュート６０ａ，第二補給シュート６０ｂに入り、そこからジャバラ３０およびジャバラ４０を通過して、ジャバラの下流端部に設けられた
１００切可変式や連続補給式などの補給カウンター（図示省略）を経由して、それぞれ低所側Ｌのパチンコ機３ａおよび高所側Ｈのパチンコ機３ｂ                    の上部に設けられた貯留タンクに供給される。これにより、低所側Ｌおよび高所側Ｈの全てのパチンコ機３に、パチンコ玉４が均等に供給される（図４，５，６参照）。
なお、補給カウンターについては、特許庁作成の標準技術集（遊技機及びその関連技術）に記載されているため説明を省略する。
【００４１】
なお、搬送ベルト１０を磁気性材料で形成する手段としては、上記の他に、ゴム等の弾性材製のベルト本体の外周面に、ベルトの長手方向にＳ極とＮ極を交互に着磁して磁性帯を形成することが考えられる。（特開平３−４６９４２号公報参照）
【００４２】
本実施形態に係るパチンコ玉供給装置１は、搬送ベルト１０を前後長手方向に水平に配置しているので、高さ方向に大きな設置スペースを必要とせず、従って、遊技場を広く開放感があり、雰囲気の明るい場所とすることができる。
【００４３】
また、搬送ベルト１０の直下に補給樋２０を設け、両者の間でパチンコ玉４を搬送するので、パチンコ玉４を搬送中でも、当該搬送ベルト１０およびそれを周回させるローラー１１や駆動装置の保守点検を行うことができる。
【００４４】
また、搬送ベルト１０および補給樋２０を、左右短尺方向の一方側に所定角度αで傾斜させて、低所側Ｌに第一補給シュート６０ａと第二補給シュート６０ｂの両方を設けているので、左右両側（低所側Ｌと高所側Ｈ）のパチンコ機３に均等にパチンコ玉４を供給することができる。
【００４５】
また、搬送ベルト１０を磁気性材料で形成しているので、磁力によって鉄製であるパチンコ玉４を吸着することができ、当該パチンコ玉４を効率的に搬送することができる。
【００４６】
なお、搬送ベルト１０と補給樋２０の間隔Ｃを、パチンコ玉４の直径とほぼ等しく設定しているので、当該搬送ベルト１０をパチンコ玉４に確実に接触させることができる。これにより、パチンコ玉４を、より効率的に搬送することができる。
【００４７】
この搬送ベルト１０はその上流側と下流側に設けた二つのローラー１１に懸架させているので、その中央部分が自重によって垂下し易いが、この垂下によってパチンコ玉４により強く接触するので、当該パチンコ玉４を効率的に搬送することができる。
【００４８】
また、搬送ベルト１０を、ゴム材に砂鉄を混在させて形成し、その砂鉄を磁化して形成しているので、当該搬送ベルト１０に効果的かつ廉価なコストで磁力を与えることができる。
【００４９】
なお、補給樋２０はＳＵＳ３０４のステンレス製であるので、搬送ベルト１０の磁力が作用せず、また、表面が滑らかで剛性も高い。従って、パチンコ玉４は補給樋２０の上面を、長期にわたって円滑に移動することができる。
【００５０】
なお、上記実施形態における搬送ベルト１０は磁気性材料で形成しているが、本発明はこうした構成に限定されるものではなく、例えば、図７に示すように、非磁気性材料（または磁気性材料）で形成し、その外周面に多数の突出部１０ａを形成して構成することができる。この突出部１０ａは、左右短尺方向に形成した壁状であり（高さ約２ｍｍ）、前後長手方向に所定間隔（パチンコ玉の複数個分）を空けて設けている。
【００５１】
この突出部１０ａは、搬送ベルト１０の移動によって補給樋２０上面のパチンコ玉４の上部に当接し、当該パチンコ玉４に移動方向への速度を付与する速度付与部材として作用する。
【００５２】
また、この搬送ベルト１０は、図８および図９に示すように、その外周面に例えば半径約２ｍｍの半球状の突出部１０ａを左右短尺方向に等間隔（パチンコ玉１〜２個分）で設けて半球体列１０Ｌを形成し、その半球体列１０Ｌを前後長手方向に等間隔（パチンコ玉複数個分）で多数配列して構成したものである。なお、各半球体列１０Ｌの突出部１０ａを、それに対応する前後半球体列１０Ｌの突出部１０ａから左右斜め方向にずらして設け、いわゆる千鳥状に配置している。この突出部１０ａも、搬送ベルト１０の移動によって補給樋２０上面のパチンコ玉４の上部に当接し、当該パチンコ玉４に移動方向への速度を付与する速度付与部材として作用する。
【００５３】
なお、突出部１０ａを半球状とし、パチンコ玉より大きい間隔で配置しているので、パチンコ玉４はこれら突出部１０ａ間を容易に通過することができる。従って、パチンコ玉４が詰まるといった事態を未然に回避することができる。また、突出部１０ａを千鳥状に配置しているので、突出部１０ａ間を通過してそこに留まっているパチンコ玉４に、後続の突出部１０ａが当接する。従って、全てのパチンコ玉４を円滑に搬送することができる。
【００５４】
なお、上記実施形態における補給シュートは、パチンコ機１台に対応して１つ設けられているが、本発明はこうした構成に限定されるものではなく、特開平７−１６３７４１号公報に記載のように、複数の補給シュートを一体化して設けても良い。
【００５５】
例えば、補給シュートの一方のジャバラから低所側Ｌのパチンコ機３ａに、他方のジャバラから高所側Ｈのパチンコ機３ｂに供給されるように、つまり、第一補給シュート６０ａと第二補給シュート６０ｂを一体化してもよい。
【００５６】
また、補給シュートの一方のジャバラから低所側Ｌのパチンコ機３ａに、他方のジャバラから低所側Ｌの他パチンコ機３ａに供給されるように、つまり、第一補給シュート６０ａと第一補給シュート６０ａを一体化してもよい。
【００５７】
また、同様に、第二補給シュート６０ｂと第二補給シュート６０ｂを一体化してもよい。
また、同様に、玉貸機用の補給シュートを設ける場合に、玉貸機用の補給シュートを、第一補給シュート６０ａまたは、第二補給シュート６０ｂと一体化してもよい。
【００５８】
また、上記実施形態における補給樋２０は、ＳＵＳ３０４のステンレス製の平板であるが、本発明はこうした構成に限定されるものではなく、例えば、補給樋２０をアルミ製の押出し材としてもよい。また、アルミ製の押出し材の上にステンレス製の平板を貼付したり載置しても良い。またＳＵＳ３０４以外のステンレス製でもよい。
【図面の簡単な説明】
【００５９】
【図１】本発明に係るパチンコ玉供給装置の実施形態を示す側面構成図である。
【図２】図１に示す供給装置の要部を示す側面拡大構成図である。
【図３】図１に示す供給装置の正面断面構成図である。
【図４】図１に示す供給装置の要部を示す側面拡大構成図である。
【図５】図４のＡ−Ａ線矢視構成図である。
【図６】図４のＢ−Ｂ線矢視構成図である。
【図７】本発明における搬送ベルトの他の実施形態を示す部分斜視図である。
【図８】本発明における搬送ベルトのさらに他の実施形態を示す部分斜視図である。
【図９】図８に示す搬送ベルトの部分平面図である。
【符号の説明】
【００６０】
１        パチンコ玉供給装置
２        遊技機島
３        パチンコ機
３ａ      パチンコ機（低所側）
３ｂ      パチンコ機（高所側）
４        パチンコ玉
１０      搬送ベルト
１０ａ    突出部
１０Ｌ    半球体列
１１      ローラー
１１ａ    駆動ローラー
１１ｂ    従動ローラー
２０      補給樋
３０      ジャバラ
４０      ジャバラ
５０      揚送機構
６０      補給シュート
６０ａ    第一補給シュート（低所側）
６０ｂ    第二補給シュート（高所側）
Ｃ        間隔
Ｄ        搬送ベルト（およびローラー）の傾斜ライン
Ｅ        水平ライン
Ｈ        高所側
Ｌ        低所側
α        所定角度
【図１】
2008307364.tif 000003
【図２】
2008307364.tif 000004
【図３】
2008307364.tif 000005
【図４】
2008307364.tif 000006
【図５】
2008307364.tif 000007
【図６】
2008307364.tif 000008
【図７】
2008307364.tif 000009
【図８】
2008307364.tif 000010
【図９】
2008307364.tif 000011